(57)【特許請求の範囲】
【請求項１】
液晶ディスプレイにおける、液晶パネル照明用のバックライトの電極に電力供給用のケーブルを接続する、液晶パネル用バックライト接続構造であって、次の各構成を有することを特徴とする液晶パネル用バックライト接続構造。
（イ）前記バックライトの、蛍光管端部から棒状に突出する電極部分を保持してこのバックライトを前記液晶パネルに対し位置決めするバックライト電極保持部と、このバックライト電極保持部に対し予め設定された位置に配設され、前記ケーブルの端末の、露出した芯線部分を保持するケーブル芯線保持部と、を備え、絶縁性部材で形成されたバックライト・ケーブル保持基台
（ロ）スリットを挟んで二股状を成して予め定められた長さ及び形状に形成され、そのスリット部分に前記バックライトの電極が押し込まれるバックライト電極用コンタクトと、スリットを挟んで二股状を成して予め定められた長さ及び形状に形成され、そのスリット部分に前記ケーブルの端末の芯線が押し込まれるケーブル芯線用コンタクトと、このケーブル芯線用コンタクトと前記バックライト電極用コンタクトとの間を、それぞれの二股状の付け根側で接続する接続板部と、を備え、導電性弾性部材により一体形成された、バックライト・ケーブル間接続導体
（ハ）前記バックライト・ケーブル間接続導体を保持して前記バックライト・ケーブル保持基台と嵌合し、前記バックライト・ケーブル間接続導体のバックライト電極用コンタクトのスリット部分で、前記バックライト・ケーブル保持基台に保持されているバックライトの電極を挟み込み、前記バックライト・ケーブル間接続導体のケーブル芯線用コンタクトのスリット部分で、前記バックライト・ケーブル保持基台に保持されているケーブルの芯線を挟み込んで、バックライト電極・ケーブル芯線間を電気的に接続する、絶縁性部材による嵌合・接続ボックス
【請求項２】
前記バックライト・ケーブル保持基台は、そのバックライト電極保持部が、バックライトの電極の、先端部分と、蛍光管端面への付け根部分と、を保持する２点保持構造となっており、この２点保持構造の合間にあるバックライトの電極が前記バックライト・ケーブル間接続導体のバックライト電極用コンタクトのスリット部分に挟み込まれ、そのケーブル芯線保持部が、ケーブル端末の露出した芯線の、先端部分と、被覆境界側の部分と、を保持する２点保持構造となっており、この２点保持構造の合間にあるケーブル芯線が前記バックライト・ケーブル間接続導体のケーブル芯線用コンタクトのスリット部分に挟み込まれる構造である、請求項１記載の液晶パネル用バックライト接続構造。
【発明の詳細な説明】
【０００１】
【発明の属する技術分野】
本発明は液晶パネル用バックライト接続構造に関し、特に液晶ディスプレイにおける、液晶パネル照射用のバックライトに対する電力供給線等を接続する、液晶パネル用バックライト接続構造に属する。
【０００２】
【従来の技術】
液晶ディスプレイは、低消費電力、薄型軽量、フラット構造などの特徴を有しているため、その普及が著しい勢いで進んでいる。この液晶ディスプレイには、液晶パネルを照射するためのバックライトが必要であり、このバックライトに対し、高電圧の電力を供給しなければならない。
【０００３】
この液晶パネル用バックライトの受電用の電極には、蛍光を放射するガラス管（以下、蛍光管という）の、端の部分の周囲を取り囲むように配置された口金状のものや、蛍光管の端面から棒状に突出する構造のもの、これら両者を併合させた構造のものなど、様々な構造のものがある。
【０００４】
口金状の電極を有するバックライトへの、電極供給線の接続は、この口金状の電極を挟持するソケット型が一般的であり（例えば、特許第３１１８６９９号公報参照）、このソケットにより、バックライトへの電力供給線の接続と同時に、このバックライトの保持と、液晶パネルに対するバックライトの位置決めを行っていた。この場合のソケットは、バックライトの蛍光管の端部分を挟持するため、ソケットそのものが大型化してしまい、液晶ディスプレイ全体が大型となる。
【０００５】
これに対し、蛍光管の端面から棒状に突出する電極のバックライトを使用すると、電極が小さいため、液晶ディスプレイ全体を小型化することができるが、この電極を単に挟持するタイプのソケットでは、電極がソケットから抜け出し、バックライトが脱落してしまう、という危険性がある。そこで、バックライトが脱落しないようにした一例を図３に示す。
【０００６】
この図３には、液晶ディスプレイ５００のディスプレイ・フレーム５１０における、バックライト５３０及びケーブル５４０の配置、並びにその間の接続構造が示されている。
この例の液晶パネル用バックライト接続構造は、その主構成として、バックライト取付板５２０と、ケーブル固定具５５０と、接続部５６０と、を有し、これらの詳細は次のとおりである。
【０００７】
バックライト取付板５２０は、バックライト５３０の電極５３２を保持固定する電極保持部５２１を備え、液晶パネルに対するバックライト５３０の位置決めを行ってこれを固定する。また、ケーブル固定具５５０は、ケーブル５４０を、バックライト取付板５２０に対し固定する。
【０００８】
接続部５６０は、ケーブル５４０の端末部分に露出する芯線５４１に圧着接続された（圧着部５６２）圧着端子５６１を、半田付けによりバックライト５３０の電極５３２に接続して（半田付け部５６３）、その上を、絶縁カバー５６４で覆う構造となっている。
【０００９】
【発明が解決しようとする課題】
上述した従来の液晶パネル用バックライト接続構造において、蛍光管５３１端面から棒状に突出する電極５３２を有するバックライト５３０を用いた場合、電極５３２が小さいので、液晶ディスプレイ全体を小型化できる可能性はあるものの、この電極５３２を単に挟持するタイプのソケットでは、この電極５３２がソケットから抜け出してバックライト５３０が脱落してしまう、という危険性があり、図３に示された例では、その接続部５６０が、圧着端子５６１を用いてこれをケーブル５４０端末の芯線５４１に圧着し、かつバックライト５３０の電極５３２に半田付けし、その上を絶縁カバー５６４で覆う構造となっており、更に、バックライト５３０の電極５３２を、電極保持部５２１で、ねじ止め固定すると同時に、ケーブル５４０も、ケーブル固定具５５０で固定する、という構造となっているので、バックライト５３０が脱落する危険性はなくなり、接続の信頼性は高いが、接続部５６０の構造が複雑で、部品点数が多くかつ作業が煩雑になり、しかも、この電極５３２にはジュメット線が用いられる場合が多く、その表面の銅が酸化して半田付けが困難であり、作業時間が長くなる上、環境性も悪く、更に、バックライト５３０の寿命などでこれを交換しなければならないときには、その交換作業が極めて困難で、しかも接続部５６０の構成部品を新しくする必要があるため、使用済みの部品は廃棄し、かつこれら部品の調達のための時間が必要となって、作業性、経済性、環境性が悪い、という問題点があり、また更に、接続部５６０が、バックライト５３０の電極５３２とケーブル５４０の芯線５４１とを、その端面どうしで突き合せて圧着、半田付け接続する構造であるため、そのスペースが大きくなってしまう、という問題点がある。
【００１０】
本発明の目的は、上記従来技術の問題点に鑑みて、部品点数が少なく、接続作業及びバックライト交換時作業が短時間で容易な作業となり、バックライト交換時の新たな接続用部品の調達もなく、作業性、経済性が向上し、ジュメット線の電極に対する接続を含む全体の接続信頼性が高く、かつ半田付け作業及び廃棄部品を無くして環境性を高め、しかも接続構造全体のスペースを小さくすることができる、液晶パネル用バックライト接続構造を提供することにある。
【００１１】
【課題を解決するための手段】
本発明の液晶パネル用バックライト接続構造は、液晶ディスプレイにおける、液晶パネル照明用のバックライトの電極に電力供給用のケーブルを接続する、液晶パネル用バックライト接続構造であって、次の各構成を有することを特徴とする。
（イ）前記バックライトの、蛍光管端部から棒状に突出する電極部分を保持してこのバックライトを前記液晶パネルに対し位置決めするバックライト電極保持部と、このバックライト電極保持部に対し予め設定された位置に配設され、前記ケーブルの端末の、露出した芯線部分を保持するケーブル芯線保持部と、を備え、絶縁性部材で形成されたバックライト・ケーブル保持基台
（ロ）スリットを挟んで二股状を成して予め定められた長さ及び形状に形成され、そのスリット部分に前記バックライトの電極が押し込まれるバックライト電極用コンタクトと、スリットを挟んで二股状を成して予め定められた長さ及び形状に形成され、そのスリット部分に前記ケーブルの端末の芯線が押し込まれるケーブル芯線用コンタクトと、このケーブル芯線用コンタクトと前記バックライト電極用コンタクトとの間を、それぞれの二股状の付け根側で接続する接続板部と、を備え、導電性弾性部材により一体形成された、バックライト・ケーブル間接続導体
（ハ）前記バックライト・ケーブル間接続導体を保持して前記バックライト・ケーブル保持基台と嵌合し、前記バックライト・ケーブル間接続導体のバックライト電極用コンタクトのスリット部分で、前記バックライト・ケーブル保持基台に保持されているバックライトの電極を挟み込み、前記バックライト・ケーブル間接続導体のケーブル芯線用コンタクトのスリット部分で、前記バックライト・ケーブル保持基台に保持されているケーブルの芯線を挟み込んで、バックライト電極・ケーブル芯線間を電気的に接続する、絶縁性部材による嵌合・接続ボックス
【００１２】
また、前記バックライト・ケーブル保持基台は、そのバックライト電極保持部が、バックライトの電極の、先端部分と、蛍光管端面への付け根部分と、を保持する２点保持構造となっており、この２点保持構造の合間にあるバックライトの電極が前記バックライト・ケーブル間接続導体のバックライト電極用コンタクトのスリット部分に挟み込まれ、そのケーブル芯線保持部が、ケーブル端末の露出した芯線の、先端部分と、被覆境界側の部分と、を保持する２点保持構造となっており、この２点保持構造の合間にあるケーブル芯線が前記バックライト・ケーブル間接続導体のケーブル芯線用コンタクトのスリット部分に挟み込まれる構造である、構成を有している。
【００１３】
【発明の実施の形態】
本発明の一実施の形態は、液晶ディスプレイにおける、液晶パネル照明用のバックライトの電極に電力供給用のケーブルを接続する、液晶パネル用バックライト接続構造であって、バックライト・ケーブル保持基台、バックライト・ケーブル間接続導体、及び嵌合・接続ボックスを含んで構成され、これらの詳細は次のとおりである。
【００１４】
まず、バックライト・ケーブル保持基台は、上記バックライトの、蛍光管端部から棒状に突出する電極部分を保持してこのバックライトを上記液晶パネルに対し位置決めするバックライト電極保持部と、このバックライト電極保持部に対し予め設定された位置に配設され、上記ケーブルの端末の、露出した芯線部分を保持するケーブル芯線保持部と、を備え、絶縁性部材で形成される。
【００１５】
次にバックライト・ケーブル間接続導体は、スリットを挟んで二股状を成して予め定められた長さ及び形状に形成され、そのスリット部分に上記バックライトの電極が押し込まれるバックライト電極用コンタクトと、スリットを挟んで二股状を成して予め定められた長さ及び形状に形成され、そのスリット部分に上記ケーブルの端末の芯線が押し込まれるケーブル芯線用コンタクトと、このケーブル芯線用コンタクトと上記バックライト電極用コンタクトとの間を、それぞれの二股状の付け根側で接続する接続板部と、を備え、導電性弾性部材により一体形成される。
【００１６】
次に嵌合・接続ボックスは、上記バックライト・ケーブル間接続導体を保持して上記バックライト・ケーブル保持基台と嵌合し、上記バックライト・ケーブル間接続導体のバックライト電極用コンタクトのスリット部分で、上記バックライト・ケーブル保持基台に保持されているバックライトの電極を挟み込み、上記バックライト・ケーブル間接続導体のケーブル芯線用コンタクトのスリット部分で、上記バックライト・ケーブル保持基台に保持されているケーブルの芯線を挟み込んで、バックライト電極・ケーブル芯線間を電気的に接続する、絶縁性部材による、構造となっている。
【００１７】
このような構成、構造とすることにより、部品点数は上記の３点のみと少なくなり、接続作業は、バックライト・ケーブル間接続導体が保持されている嵌合・接続ボックスを、バックライト及びケーブルが保持されているバックライト・ケーブル保持基台と嵌合させる、というワンタッチ作業で済み、またバックライト交換時作業も、これらの離脱、嵌合というワンタッチ作業で済むので、その作業が極めて短時間かつ容易となり、また、これら構成品はくり返し使用可能であるので、バックライト交換時に新たな接続用部品を調達しなくて済み、しかも半田付け作業もないので、作業性、経済性及び環境性を向上させることができ、更に、バックライトのジュメット線による電極が、バックライト・ケーブル間接続導体の、バックライト電極用コンタクトのスリット部分に、またケーブルの芯線が、ケーブル芯線用コンタクトのスリット部分に、挟み込まれて接続されるので、これら電極及び芯線表面の、銅酸化物が除去され、接続信頼性を高めることができ、更にまた、バックライトの電極は、バックライトが液晶パネルに対し位置決めされた位置に配置され、ケーブルの芯線はその近傍の空きスペースに配置されて、バックライト・ケーブル間接続導体により、バックライトの電極部分とケーブルの芯線部分とを直接、圧接するので、接続構造全体を小さくすることができる。
【００１８】
【実施例】
次に、本発明の実施例について図面を参照して説明する。
図１は本発明の一実施例の、分解状態、及び嵌合、接続動作を示す斜視図、図２はその嵌合、接続前の平面図、並びに嵌合、接続後の平面図及びＡ−Ａ断面側面図である。
この実施例は、液晶ディスプレイにおける、ディスプレイ・フレーム５１０内に配置された液晶パネル照明用のバックライト５３０の電極５３２に、インバータ回路などからの、高電圧の電力供給用のケーブル５４０を接続する、液晶パネル用バックライト接続構造であって、バックライト・ケーブル保持基台１００と、バックライト・ケーブル間接続導体２００と、嵌合・接続ボックス３００と、を有して構成され、これらの詳細は次のとおりとなっている。
【００１９】
バックライト・ケーブル保持基台１００は、バックライト５３０の、蛍光管５３１端面から棒状に突出するジュメット線製の電極５３２部分を、その先端部分及び蛍光管５３１との付け根部分で保持してバックライト５３０を、液晶パネル（ディスプレイ・フレーム５１０の液晶パネル配置領域５１１に配置される）に対し位置決めするバックライト電極保持部１１０と、このバックライト電極保持部１１０に対し、バックライト５３０の電極５３２と直交する部位の、ディスプレイ・フレーム５１０上の空きスペース部分に配置され、ケーブル５４０の端末の、露出した芯線５４１部分を、その先端部分と被覆付け根部分とで保持するケーブル芯線保持部１２０と、固定用突起１３１を含み、嵌合・接続ボックス３００と嵌合してこれを固定する嵌合部１３０と、を備え、絶縁性部材により形成されている。
【００２０】
バックライト・ケーブル間接続導体２００は、スリット２１１を挟んで二股状を成して予め定められた長さでＵ字状に形成され、そのスリット２１１部分にバックライト５３０の電極５３２が押し込まれるバックライト電極用コンタクト２１０と、スリット２２１を挟んで二股状を成して予め定められた長さでＵ字状に形成され、そのスリット２２１部分にケーブル５４０の端末の芯線５４１が押し込まれるケーブル芯線用コンタクト２２０と、このケーブル芯線用コンタクト２２０とバックライト電極用コンタクト２１０との間を、それぞれの二股状の付け根側で接続する接続板部２３０と、を備え、導電性弾性部材により一体形成された構造となっている。
【００２１】
嵌合・接続ボックス３００は、固定用孔３１１を含む嵌合部３１０を備え、かつバックライト・ケーブル間接続導体２００を内側に保持してバックライト・ケーブル保持基台と嵌合しこれに固定され、バックライト・ケーブル間接続導体２００のバックライト電極用コンタクト２１０のスリット２１１部分で、バックライト・ケーブル保持基台１００に保持されているバックライト５３０の電極５３２を挟み込み、また、バックライト・ケーブル間接続導体２００のケーブル芯線用コンタクト２２０のスリット２２１部分で、バックライト・ケーブル保持基台１００に保持されているケーブル５４０の芯線５４１を挟み込んで、バックライト５３０の電極５３２とケーブル５４０の芯線５４１との間を電気的に接続する構造となっていて、絶縁性部材により形成されている。
【００２２】
この実施例においては、部品点数が、バックライト・ケーブル保持基台１００、バックライト・ケーブル間接続導体２００、及び嵌合・接続ボックス３００の３点のみと少なくなっており、またバックライト５３０の電極５３２へのケーブル５４０の接続作業は、バックライト・ケーブル間接続導体２００を内部に保持した嵌合・接続ボックス３００を、バックライト・ケーブル保持基台１００と嵌合させてこれに固定する、という極めて単純、かつ短時間の、ワンタッチ作業で済む。
【００２３】
また、バックライト５３０交換時の作業も、嵌合部１３０の固定用突起１３１と嵌合部３１０の固定用孔３１１との間の結合を解除して、バックライト・ケーブル間接続導体２００内蔵の嵌合・接続ボックス３００を、バックライト・ケーブル保持基台１００から離脱させて、バックライト５３０を、単に新品と入れ替え、再度、嵌合する、という、３段階のワンタッチ作業で済む。また、これら構成品（１００〜３００）はくり返し使用が可能であり、従来例のように廃棄処分する部品がなく、また新たな接続用部品を調達する必要もない上、半田付け作業もないので、環境にやさしい、環境性の高い構造である。
すなわち、この実施例による構造は、作業性、経済性、及び環境性に優れている。
【００２４】
また、バックライト５３０の、ジュメット線製の電極５３２が、バックライト電極用コンタクト２１０のスリット２１１部分で挟み込まれ、ケーブル５４０の芯線５４１が、ケーブル芯線用コンタクト２２０のスリット２２１部分で挟み込まれて、接続されるので、電極５３２及び芯線５４１の表面の、その部分の銅酸化物が除去されて接続状態となり、接続信頼性を高めることができる。
【００２５】
更に、バックライト５３０の電極５３２は、このバックライト５３０が液晶パネルに対して位置決めされた位置に配置され、一方、ケーブル５４０の芯線５４１はその近傍の空きスペースに配置することができて、これらの間の接続は、バックライト５３０の電極５３２部分とケーブル５４０の芯線５４１部分とを、バックライト・ケーブル間接続導体２００により直接、圧接して接続する構造であるので、蛍光管５３１端面から棒状に電極５３２が突出した構造のバックライト５３０が有する、小型化の特徴を生かし、液晶パネル用バックライト接続構造全体を小型化することができる。
【００２６】
また、この実施例では、バックライト・ケーブル保持基台１００の固定用突起１３１が、嵌合・接続ボックス３００の固定用孔３１１に入り込んでこれらが互いに固定された状態を保つことができるので、接続状態が解除されたり、バックライト５３０が脱落するようなことはない。また、バックライト電極保持部１１０及びケーブル芯線保持部１２０は、それぞれが２点保持構造となっていて、電極５３２及び芯線５４１それぞれを２箇所で保持し、これら２点保持構造の合間にある電極５３２及び芯線５４１がバックライト電極用コンタクト２１０のスリット２１１部分及びケーブル芯線用コンタクト２２０のスリット２２１部分で挟み込まれる構造となっているので、挟み込み、接続動作を円滑かつ確実に行うことができる。
【００２７】
【発明の効果】
以上説明したように本発明は、その主構成を、バックライト・ケーブル保持基台、バックライト・ケーブル間接続導体、及び嵌合・接続ボックスの３部品とし、バックライト・ケーブル保持基台を、バックライトの棒状の電極を保持してこのバックライトを液晶パネルに対し位置決めするバックライト電極保持部と、このバックライト電極保持部に対し予め定められた位置に配設されてケーブル端末の芯線を保持するケーブル芯線保持部と、を備えて絶縁性部材で形成し、バックライト・ケーブル間接続導体を、スリットを挟んで二股状を成して設定された長さ、形状に形成され、そのスリット部分でバックライト電極を挟み込むバックライト電極用コンタクトと、スリットを挟んで二股状を成して設定された長さ、形状に形成され、そのスリット部分でケーブル芯線を挟み込むケーブル芯線用コンタクトと、これら２コンタクト間をその二股状の付け根側で接続する接続板部と、を備えて導電性弾性部材で形成し、嵌合・接続ボックスを、上記バックライト・ケーブル間接続導体を保持して上記バックライト・ケーブル保持基台と嵌合し、その保持しているバックライト・ケーブル間接続導体により、バックライト電極・ケーブル芯線間を電気的に接続する、絶縁性部材製とする、構成、構造とすることにより、部品点数を少なくして、接続作業及びバックライト交換時作業を、半田付け作業がなく短時間、かつ容易な作業とし、バックライト交換時に新たな部品の調達や廃棄部品もないので、作業性、経済性、及び環境性を向上させることができる上、バックライトの電極及びケーブルの芯線に対する接続信頼性を高めることができ、しかも、蛍光管端面から棒状電極が突出するバックライトの特性を生かして、接続構造全体を小型化することができる、という効果がある。
【図面の簡単な説明】
【図１】本発明の一実施例の、分解状態及び嵌合、接続動作を示す斜視図である。
【図２】図１に示された実施例の、嵌合、接続前の平面図、並びに嵌合、接続後の平面図及びＡ−Ａ断面側面図である。
【図３】従来の液晶パネル用バックライト接続構造の一例を示す平面図及びＢ−Ｂ断面図である。
【符号の説明】
１００  バックライト・ケーブル保持基台
１１０  バックライト電極保持部
１２０  ケーブル芯線保持部
１３０  嵌合部
１３１  固定用突起
２００  バックライト・ケーブル間接続導体
２１０  バックライト電極用コンタクト
２１１  スリット
２２０  ケーブル芯線用コンタクト
２２１  スリット
２３０  接続板部
３００  嵌合・接続ボックス
３１０  嵌合部
３１１  固定用孔
５１０  ディスプレイ・フレーム
５１１  液晶パネル配置領域
５２０  バックライト取付板
５２１  電極保持部
５３０  バックライト
５３１  蛍光管
５３２  電極
５４０  ケーブル
５４１  芯線
５５０  ケーブル固定具
５６０  接続部
５６１  圧着端子
５６２  圧着部
５６３  半田付け部
５６４  絶縁カバー
【図１】
0003569848.tif 000002
【図２】
0003569848.tif 000003
【図３】
0003569848.tif 000004